(57)【要約】【課題】表示領域が向く方向の変化を原因として、表示中のオブジェクトが観察し難くなるのを抑制する。【解決手段】表示装置１０は、ユーザの腕１００に装着される表示部１３を備える。表示部１３は、画像を表示するための表示領域１３１を有する。表示領域１３１は、腕１００を周回するように配置される。表示装置１０は、表示領域１３１にオブジェクトＷ１，Ｗ２を表示する。オブジェクトＷ１は時計機能に関連付けられたアイコン、オブジェクトＷ２はメーラに関連付けられたアイコンである。表示装置１０は、表示領域１３１が向く方向の変化を検出した場合に、検出した変化に基づいて、表示中のオブジェクトＷ１，Ｗ２を配置した領域が向く方向が一定となるように、オブジェクトＷ１，Ｗ２の表示位置を変更する。このため、腕１００が腕回り方向に回転した場合も、ユーザから見たオブジェクトＷ１，Ｗ２の表示位置は一定となる。【選択図】図１
2015176247.tif 000002
【特許請求の範囲】
【請求項１】
画像を表示する表示領域を含む表示部と、
前記表示領域が向く方向の変化を検出する検出部と、
前記表示領域への画像の表示を制御する表示制御部であって、前記検出部が検出した前記変化に基づいて、表示中のオブジェクトを配置した領域が向く方向が変化させられた場合に、当該オブジェクトの表示位置を、前記方向の変化を小さくする位置に変更する表示制御部と
を備える表示装置。
【請求項２】
前記表示領域上の位置を指定した操作を受け付ける操作受付部を備え、
前記表示制御部は、
前記オブジェクトを配置していない領域を一方向に移動させる操作が前記操作受付部により受け付けられた場合に、当該一方向に前記オブジェクトを移動させる
ことを特徴とする請求項１に記載の表示装置。
【請求項３】
前記表示制御部は、
前記操作が受け付けられなくなると、前記オブジェクトを当該操作前の表示位置に戻す
ことを特徴とする請求項２に記載の表示装置。
【請求項４】
前記表示制御部は、
前記表示領域で複数の前記オブジェクトを表示中の場合、前記操作に応じて、表示中の２以上の前記オブジェクトを移動させる
ことを特徴とする請求項２又は請求項３に記載の表示装置。
【請求項５】
前記表示部は、ユーザの身体の部位に装着され、
前記オブジェクトは、複数機能に関連付けられたユーザが操作可能な第１のオブジェクトであり、
前記表示制御部は、
前記第１のオブジェクトを選択する操作が行われた場合、前記複数機能の各機能に関連付けられた第２のオブジェクトを、前記部位に沿って配列させる
ことを特徴とする請求項１から請求項４のいずれか１項に記載の表示装置。
【請求項６】
前記表示部は、ユーザの身体の部位に装着され、
前記表示制御部は、
表示中の複数の前記オブジェクトの各々に与えられた重み値に応じて、当該オブジェクトを前記部位に沿って配列させる
ことを特徴とする請求項１から請求項５のいずれか１項に記載の表示装置。
【請求項７】
前記表示制御部は、
前記重み値に応じて、前記オブジェクトのサイズを変化させる
ことを特徴とする請求項６に記載の表示装置。
【請求項８】
前記表示制御部は、
前記部位に沿う方向と前記部位に沿わない方向との各方向に沿って、前記オブジェクトを配列させる
ことを特徴とする請求項１から請求項７のいずれか１項に記載の表示装置。
【請求項９】
前記表示部に作用した振動を検出する振動検出部と、
前記オブジェクトに関連付けられた機能を実行する実行部と
を備え、
前記振動検出部により前記振動が検出された場合に、
前記表示制御部は、表示中の前記オブジェクトで定まる画像を表示し、
前記実行部は、前記表示中の前記オブジェクトに関連付けられた前記機能を実行する
ことを特徴とする請求項１から請求項８のいずれか１項に記載の表示装置。
【請求項１０】
画像を表示する表示領域を含む表示部を制御するコンピュータに、
前記表示領域が向く方向の変化を検出するステップと、
前記表示領域への画像の表示を制御するステップであって、検出した前記変化に基づいて、表示中のオブジェクトを配置した領域が向く方向が変化させられた場合に、当該オブジェクトの表示位置を、前記方向の変化を小さくする位置に変更するステップと
を実行させるためのプログラム。
【発明の詳細な説明】
【技術分野】
【０００１】
本発明は、ユーザの身体の部位に装着又は保持される表示部を用いて画像を表示する技術に関する。
【背景技術】
【０００２】
表示パネルには、表示面が平面状の表示パネルだけでなく、表示面が曲面状の（湾曲した）表示パネルがある。この種の表示パネルを用いた画像の表示技術が、特許文献１，２に開示されている。特許文献１は、適切な視認性を確保するために、平面を前提とする基礎画像データに対してスケール変換を行って補正画像データを生成し、補正画像データに基づいて画面表示することを開示している。特許文献２は、曲面表示パネルを観察する方向を一定方向に定めた場合に、その方向から観察した画像が歪んで認識されないように、画像データを補正することを開示している。
【先行技術文献】
【特許文献】
【０００３】
【特許文献１】特開２００２−６７９７号公報
【特許文献２】特開２００８−１３４５３７号公報
【発明の概要】
【発明が解決しようとする課題】
【０００４】
特許文献１，２に開示された技術で行われる画像データの補正は、表示パネルに表示される画像を変形する補正である。
表示パネルを備えた表示装置には、スマートフォン等のユーザが把持して使用する表示装置と、ユーザが腕等の身体の部位に装着して使用するウェアラブルコンピュータと呼ばれる着用型の表示装置とがある。これらの表示装置では、表示パネルが向く方向が変化させられると、ユーザから見た表示パネル上のオブジェクト（アイコン等の画像）の位置が変化する。このため、ユーザにとっては、表示装置の使用中に、表示中のオブジェクトを観察し難くなることがある。
そこで、本発明の目的は、表示領域が向く方向の変化を原因として、表示中のオブジェクトが観察し難くなるのを抑制することである。
【課題を解決するための手段】
【０００５】
上述した課題を解決するため、本発明の表示装置は、画像を表示する表示領域を含む表示部と、前記表示領域が向く方向の変化を検出する検出部と、前記表示領域への画像の表示を制御する表示制御部であって、前記検出部が検出した前記変化に基づいて、表示中のオブジェクトを配置した領域が向く方向が変化させられた場合に、当該オブジェクトの表示位置を、前記方向の変化を小さくする位置に変更する表示制御部とを備える。
【０００６】
本発明の表示装置において、前記表示領域上の位置を指定した操作を受け付ける操作受付部を備え、前記表示制御部は、前記オブジェクトを配置していない領域を一方向に移動させる操作が前記操作受付部により受け付けられた場合に、当該一方向に前記オブジェクトを移動させてもよい。
この表示装置において、前記表示制御部は、前記操作が受け付けられなくなると、前記オブジェクトを当該操作前の表示位置に戻してもよい。
これらの表示装置において、前記表示制御部は、前記表示領域で複数の前記オブジェクトを表示中の場合、前記操作に応じて、表示中の２以上の前記オブジェクトを移動させてもよい。
【０００７】
本発明の表示装置において、前記表示部は、ユーザの身体の部位に装着され、前記オブジェクトは、複数機能に関連付けられたユーザが操作可能な第１のオブジェクトであり、前記表示制御部は、前記第１のオブジェクトを選択する操作が行われた場合、前記複数機能の各機能に関連付けられた第２のオブジェクトを、前記部位に沿って配列させてもよい。
【０００８】
本発明の表示装置において、前記表示部は、ユーザの身体の部位に装着され、前記表示制御部は、表示中の複数の前記オブジェクトの各々に与えられた重み値に応じて、当該オブジェクトを前記部位に沿って配列させてもよい。
この表示装置において、前記重み値に応じて、前記オブジェクトのサイズを変化させてもよい。
【０００９】
本発明の表示装置において、前記表示制御部は、前記部位に沿う方向と前記部位に沿わない方向との各方向に沿って、前記オブジェクトを配列させてもよい。
【００１０】
本発明の表示装置において、前記表示部に作用した振動を検出する振動検出部と、前記オブジェクトに関連付けられた機能を実行する実行部とを備え、前記振動検出部により前記振動が検出された場合に、前記表示制御部は、表示中の前記オブジェクトで定まる画像を表示し、前記実行部は、前記表示中の前記オブジェクトに関連付けられた前記機能を実行してもよい。
【００１１】
本発明のプログラムは、画像を表示する表示領域を含む表示部を制御するコンピュータに、前記表示領域が向く方向の変化を検出するステップと、前記表示領域への画像の表示を制御するステップであって、検出した前記変化に基づいて、表示中のオブジェクトを配置した領域が向く方向が変化させられた場合に、当該オブジェクトの表示位置を、前記方向の変化を小さくする位置に変更するステップとを実行させるためのプログラムである。
【発明の効果】
【００１２】
本発明によれば、表示領域が向く方向の変化を原因として、表示中のオブジェクトが観察し難くなるのを抑制することができる。
【図面の簡単な説明】
【００１３】
【図１】本発明の一実施形態に係る表示装置の外観構成を示す斜視図。
【図２】同実施形態に係る表示装置の外観構成を示す平面図。
【図３】同実施形態に係る表示装置のハードウェア構成を示すブロック図。
【図４】同実施形態に係る表示装置のホーム画面を示す図。
【図５】同実施形態に係る表示装置の制御部の機能構成を示す機能ブロック図。
【図６】同実施形態に係る表示装置でのオブジェクト表示の基本動作を示すフローチャート。
【図７】同実施形態に係る表示装置でのオブジェクト表示の基本動作の説明図。
【図８】同実施形態に係る表示装置でのオブジェクトの表示位置の変更動作を示すフローチャート。
【図９】同実施形態に係る表示装置でのオブジェクトの表示位置の変更動作の説明図。
【図１０】同実施形態に係る表示装置でのオブジェクトの選択操作時の動作を示すフローチャート。
【図１１】同実施形態に係る表示装置でのオブジェクトの選択操作時の動作の説明図。
【図１２】同実施形態に係る表示装置でのオブジェクトに対する重み付けに関する動作を示すフローチャート。
【図１３】同実施形態に係る表示装置でのオブジェクトに対する重み付けに関する動作の説明図。
【図１４】同実施形態に係る表示装置での機能実行動作を示すフローチャート。
【図１５】同実施形態に係る表示装置での機能実行動作の説明図。
【図１６】本発明の変形例に係る表示装置でのオブジェクト表示動作の説明図。
【図１７】本発明の変形例に係る表示装置でのオブジェクト表示動作の説明図。
【発明を実施するための形態】
【００１４】
以下、図面を参照しつつ本発明の実施形態を説明する。
図１は、本発明の一実施形態に係る表示装置１０の外観構成を示す斜視図である。図１に示すように、表示装置１０は、ウェアラブルコンピュータの一種であるリストバンド型の表示装置である。具体的には、表示装置１０は、曲げやねじり等の変形可能な素材で形成されたベルト状（帯状）の表示装置である。表示装置１０は、ユーザの腕１００（図１では、左手の前腕部）に巻かれ、一端と他端とが留め具等の装着部材（図示略）を用いて接続されることにより、腕１００に装着される。腕１００に装着されているとき、表示装置１０は環状である。
【００１５】
表示装置１０は、画像を表示する表示部１３を有する。表示部１３は、表示装置１０の外周面に表示領域１３１を有する。表示領域１３１は、腕１００を周回する方向（即ち腕回り方向）に伸張方向を有し、腕１００を周回するように配置される。表示領域１３１は、ここでは、腕１００の腕回り方向の１周分に相当する長さである。更に、表示装置１０は、表示領域１３１の全体に重ねられた接触センサ１２１を有する。
【００１６】
図２は、表示装置１０の外観構成を示す平面図である。図２（ａ）は、環状とした表示装置１０を、当該環を貫く方向に平面視した図（図１のII矢視図）である。図２（ｂ）は、伸張方向が直線状になるように配置した表示領域１３１を平面視した図が示されている。
表示領域１３１上の伸張方向における位置（絶対位置）を規定するために、図２（ａ），（ｂ）に示すとおり、位置Ａ，Ｂ，Ｃ，Ｄを定める。位置Ａは、環状の表示装置１０の環の中心Ｏから見て、１２時の方向の位置である。位置Ａは、図１に示すように表示装置１０が腕１００に装着されたときに、表示領域１３１の鉛直方向において最も上方に位置する。位置Ｂは、中心Ｏから見て３時の方向の位置である。位置Ｃは、中心Ｏから見て６時の方向の位置である。位置Ｃは、表示領域１３１の伸張方向における一端及び他端の位置であって、前述した装着部材が設けられる位置である。位置Ｄは、中心Ｏから見て９時の方向の位置である。位置Ｄは、図１に示すように表示装置１０が腕１００に装着されたときに、表示領域１３１の鉛直方向において最も下方に位置する。
【００１７】
図３は、表示装置１０のハードウェア構成を示すブロック図である。図３に示すように、表示装置１０は、制御部１１と、センサ部１２と、表示部１３と、通信部１４と、記憶部１５とを備える。
制御部１１は、ＣＰＵ（Central Processing Unit）を含む演算処理装置と、ＲＯＭ(Read Only Memory)及びＲＡＭ（Random Access Memory）を含むメインメモリとを有するマイクロコンピュータを有する。例えば、ＣＰＵは、ＲＯＭや記憶部１５に記憶されたプログラムをＲＡＭに読み出して実行することにより、表示装置１０の各部を制御する。
【００１８】
センサ部１２は、表示装置１０の状態を検出するセンサを含む。センサ部１２は、ここでは、接触センサ１２１及び加速度センサ１２２を含む。接触センサ１２１は、表示領域１３１上の位置を指示する操作を検出するセンサである。接触センサ１２１は、表示領域１３１に対する接触操作を検出する。接触センサ１２１は、指示体（例えば、図１に示すユーザの指Ｆ）により指示された位置を示す操作信号を、制御部１１へ出力する。接触センサ１２１は、例えば静電容量型のセンサを用いて構成されるが、抵抗膜型等の他方式のセンサを用いて構成されてもよい。加速度センサ１２２は、ここでは３軸方式の加速度センサで、表示装置１０に作用した３軸方向の加速度を検出する検出部である。加速度センサ１２２は、表示領域１３１が向く方向の変化を示す物理量として、加速度を検出する。加速度センサ１２２が検出する加速度は、表示装置１０の姿勢の変化に応じた物理量ということもできる。また、加速度センサ１２２は、表示部１３（即ち表示装置１０）に作用した振動を検出する振動検出部としても機能する。
【００１９】
表示部１３は、例えば液晶ディスプレイを用いて構成され、表示領域１３１に画像を表示する。通信部１４は、例えば無線通信回路及びアンテナを有し、外部装置と通信するためのインタフェースである。通信部１４は、例えばＢｌｕｅｔｏｏｔｈ（登録商標）に準拠した無線通信を行うが、他方式の通信を行ってもよい。記憶部１５は、ＥＥＰＲＯＭ（Electronically Erasable and Programmable ROM）やフラッシュメモリ等の記憶装置である。記憶部１５は、例えば、制御部１１により実行される制御プログラムや各種のアプリケーションプログラムを記憶する。
【００２０】
図４は、表示装置１０のホーム画面を示す図である。以下、表示領域１３１が表示する画面を説明する際には、図２で説明した平面図を使用する。図４等では、表示領域１３１に表示されている画像の位置を分かりやすくするために、表示領域１３１の厚みを大きくして表現している。環状の表示装置１０を当該環の貫く方向に平面視したとき、実際には、表示領域１３１に表示中のオブジェクトは、ユーザに観察されない又はほとんど観察されない。
ホーム画面の表示中において、表示装置１０は、オブジェクトＷ１，Ｗ２，Ｗ３の各オブジェクトを表示する。オブジェクトＷ１〜Ｗ３の各々は、ユーザが操作可能なオブジェクトであり、例えばアイコン（例えばアプリケーションプログラムのアイコン）、又は、ウィンドウ（例えばウィジェットのウィンドウ）である。オブジェクトＷ１〜Ｗ３（第１のオブジェクト）の各々は、予め特定の機能に関連付けられている。ここでは、オブジェクトＷ１は、時計機能に関連付けられている。オブジェクトＷ２は、メーラ（メール機能）に関連付けられている。オブジェクトＷ３は、株価をリアルタイムで表示する株価表示機能に関連付けられている。図１に示すオブジェクトＷ１，Ｗ２のように、オブジェクトは、例えば、関連付けられた機能を視覚的に表した画像である。
【００２１】
オブジェクトＷ１は、図１に示すように、表示装置１０が腕１００に装着されたときに、位置Ａを含む位置（即ち１２時の位置）で表示される。オブジェクトＷ２は、位置Ｂを含む位置（即ち３時の位置）で表示される。オブジェクトＷ３は、位置Ｄを含む位置（即ち９時の位置）で表示される。ユーザにとっては、一般に、オブジェクトＷ１が最も観察しやすく、次いで、オブジェクトＷ２，Ｗ３の順でオブジェクトを観察しやすい。
なお、ホーム画面で表示されるオブジェクトの数や、オブジェクトに関連付けられる機能は、表示装置１０のユーザにより設定及び変更されてよい。例えば、オブジェクトは、ＳＮＳ（Social Networking Service）、ゲーム機能、天気予報やニュースを表示する機能、ブラウザ等の各機能に関連付けられていてもよい。また、オブジェクトは、ここでは矩形（正方形を含む。）であるが、円形等の他の形状であってもよい。
【００２２】
表示装置１０は、オブジェクトを表示する表示動作に特徴を有する。表示装置１０が行うオブジェクトの表示動作は、表示領域１３１のうちオブジェクトが配置されていない背景領域を第１の媒質（例えば液体）、オブジェクトが配置された領域を第２の媒質（例えば気体（気泡））、表示領域１３１を第１の媒質を封入した容器、とそれぞれ見立てたときの、第２の媒質の挙動に基づいて行われる。
【００２３】
次に、表示装置１０で実現される表示動作に関わる機能を説明する。
図５は、表示装置１０の制御部１１の機能構成を示す機能ブロック図である。図５に示すように、表示装置１０の制御部１１は、制御プログラムを実行することにより、表示制御部１１１と、操作受付部１１２と、実行部１１３とに相当する機能を実現する。
表示制御部１１１は、表示部１３を制御して、表示領域１３１へ画像を表示する。表示制御部１１１は、加速度センサ１２２が検出した表示領域１３１が向く方向の変化に基づいて、オブジェクトの表示を制御する。例えば、表示制御部１１１は、表示中のオブジェクトを配置した領域が向く方向が変化させられた場合に、当該オブジェクトの表示位置を、当該領域が向く方向の変化が小さくなる位置に変更する。例えば、表示制御部１１１は、表示領域１３１が向く方向の変化に関わらず、時計の時針の向きで表現したオブジェクトの表示位置を一定とする。これにより、腕１００が腕周り方向に回転した場合であっても、ユーザから見たオブジェクトの表示位置が一定となる。
これ以外にも、表示制御部１１１は、操作受付部１１２が受け付けた操作に基づいて、オブジェクトの表示位置を変更したり、表示するオブジェクトを変更したりする。
【００２４】
操作受付部１１２は、接触センサ１２１から供給される操作信号に基づいて、表示領域１３１上の位置を指示する操作（ここでは接触操作）を受け付ける。
なお、表示装置１０が物理キーその他の操作子を有する場合には、操作受付部１１２は、当該操作子を用いた操作を受け付けてもよい。
【００２５】
実行部１１３は、表示領域１３１に表示されたオブジェクトに関連付けられた機能を実行する。実行部１１３は、例えば、表示中のオブジェクトを選択する操作を操作受付部１１２が受け付けた場合に、当該オブジェクトに関連付けられたアプリケーションプログラムを実行する。ただし、実行部１１３が実行する機能は、アプリケーションプログラムの実行を伴う機能でなくてもよい。
【００２６】
次に、表示装置１０の動作を説明する。表示装置１０の特徴的な動作は、（Ａ）オブジェクト表示の基本動作と、（Ｂ）オブジェクトの表示位置の変更動作と、（Ｃ）オブジェクトの選択操作時の動作と、（Ｄ）オブジェクトに対する重み付けに関する動作と、（Ｅ）機能実行動作とに大別される。
【００２７】
（Ａ）オブジェクト表示の基本動作
図６は、表示装置１０が行うオブジェクト表示の基本動作を示すフローチャートである。図７は、オブジェクト表示の基本動作を説明する図である。表示装置１０の制御部１１は、図４で説明したホーム画面を予め表示領域１３１に表示しているものとする。
制御部１１は、ホーム画面の表示中において、加速度センサ１２２の検出結果に基づいて、表示領域１３１が向く方向の変化を検出する（ステップＳＡ１）。そして、制御部１１は、検出した方向の変化に基づいて、オブジェクトの表示位置を特定する（ステップＳＡ２）。そして、制御部１１は、表示領域１３１において特定した表示位置にオブジェクトを表示する（ステップＳＡ３）。
【００２８】
例えば、図４に示す状態から、表示装置１０が時計回りに３０度回転し、図７（ａ）に示す状態になった場合を考える。この場合、位置Ａが１時の位置、位置Ｂが４時の位置、位置Ｃが７時の位置、位置Ｄが１０時の位置にある。このとき、制御部１１は、オブジェクトを反時計回りに３０度だけ回転させた表示位置で、オブジェクトを表示する。即ち、制御部１１は、オブジェクトＷ１を１２時の位置で表示し、オブジェクトＷ２を３時の位置で表示し、オブジェクトＷ３を９時の位置で表示する。また、図４に示す状態から、表示装置１０が反時計回りに３０度回転し、図７（ｂ）に示す状態になった場合を考える。この場合、位置Ａが１１時の位置、位置Ｂが２時の位置、位置Ｃが５時の位置、位置Ｄが８時の位置にある。このとき、制御部１１は、オブジェクトを時計回りに３０度だけ回転させた表示位置で、オブジェクトを表示する。即ち、制御部１１は、オブジェクトＷ１を１２時の位置で表示し、オブジェクトＷ２を３時の位置で表示し、オブジェクトＷ３を９時の位置で表示する。
【００２９】
以上のとおり、制御部１１は、表示装置１０が、腕１００を中心として一方向にθ度（０＜θ＜３６０）だけ回転した姿勢となった場合に、その逆方向にθ度（即ち−θ度）だけ回転させた表示位置で、オブジェクトを表示する。これにより、腕１００が腕周り方向に回転して、表示領域１３１が向く方向が変化した場合であっても、ユーザから見た各オブジェクトの表示位置は一定となる。このオブジェクト表示の基本動作は、第２の媒質である気泡が、第１の媒質である液体中に存在する場合に、両者の比重の関係によって第２の媒質が浮き上がってくる、という挙動に基づいている。このオブジェクト表示の基本動作によれば、腕１００の腕回り方向の回転に関わらず、各オブジェクトの見かけ上の位置が一定となるので、ユーザは表示中のオブジェクトを観察しやすい。
【００３０】
（Ｂ）オブジェクトの表示位置の変更動作
図８は、表示装置１０が行うオブジェクトの表示位置の変更動作を示すフローチャートである。図９は、オブジェクトの表示位置の変更動作を説明する図である。
表示装置１０が行うオブジェクト表示の基本動作によると、表示装置１０における各オブジェクトのユーザから見た位置は、腕１００が腕回り方向に回転した場合でも変化しない。しかし、ユーザにとっては、特定のオブジェクトの表示位置を、一時的に変更させたい場合がある。例えば、図４で説明したオブジェクトＷ３は、常に９時の方向で表示されるので、ユーザは、これを自身が観察しやすい位置に移動させたい場合がある。
そこで、制御部１１は、表示領域１３１において背景領域を指定して、当該背景領域を移動させる操作を受け付ける（ステップＳＢ１）。ここでは、図９（ａ）に示すように、制御部１１は、背景領域に指Ｆを触れさせたまま時計回りに移動させる操作（矢印参照）を、接触センサ１２１により受け付ける。
【００３１】
次に、制御部１１は、受け付けた操作に基づいて、オブジェクトの表示位置を特定する（ステップＳＢ２）。そして、制御部１１は、表示領域１３１の特定した表示位置にオブジェクトを表示する（ステップＳＢ３）。
図９（ｂ）に示すように、制御部１１は、背景領域が移動した方向に、当該背景領域が移動した距離だけ、表示中のオブジェクトを移動させる。例えば、指Ｆが表示領域１３１の１／４周分だけ移動した場合、制御部１１は、オブジェクトＷ３を位置Ｄから位置Ａ（即ち１２時の位置）に移動させ、オブジェクトＷ１を位置Ａから位置Ｂ（即ち３時の位置）に移動させ、オブジェクトＷ２を位置Ｂから位置Ｃ（即ち６時の位置）に移動させる。このため、ユーザは、１２時の位置に表示されたオブジェクトＷ３を、容易に観察することができる。
【００３２】
図８に戻り、制御部１１は、表示領域１３１に対する操作が終了したかどうかを判断する（ステップＳＢ４）。制御部１１は、指Ｆが接触センサ１２１に接触したままであれば、表示領域１３１に対する操作が終了していないと判断し（ステップＳＢ４；ＮＯ）、ステップＳＢ１の処理に戻す。他方、制御部１１は、指Ｆが接触センサ１２１から離れた場合には、表示領域１３１に対する操作が終了したと判断する（ステップＳＢ４；ＹＥＳ）。そして、制御部１１は、オブジェクトの表示位置を、ステップＳＢ１の処理で受け付けた操作前の表示位置に戻す（ステップＳＢ５）。
ここでは、制御部１１は、図９（ａ）で説明した表示位置に戻して、各オブジェクトを表示する。この際、制御部１１は、各オブジェクトが移動しながら徐々に元の表示位置に戻るように、各オブジェクト及び背景領域の表示を制御してもよい。また、制御部１１は、表示中の２以上のオブジェクトを移動（ここでは同時に移動）させるので、従来のタッチパネル操作のように、１つずつオブジェクトを移動させる場合に比べて、ユーザの操作の負担が減る。
これらのオブジェクトの表示位置の変更動作は、第２の媒質である気泡が、第１の媒質である液体の移動に伴い、当該第１の媒質に押されるようにして移動するという挙動に基づいている。
【００３３】
（Ｃ）オブジェクトの選択操作時の動作
図１０は、表示装置１０が行うオブジェクトの選択操作時の動作を示すフローチャートである。図１１は、オブジェクトの選択操作時の動作を説明する図である。
表示装置１０の制御部１１は、表示領域１３１に表示中のオブジェクトであって、複数機能に関連付けられたオブジェクトを選択する操作を受け付けると（ステップＳＣ１）、当該複数機能の各機能に関連付けられたオブジェクトを、表示領域１３１に表示する（ステップＳＣ２）。例えば、図１１（ａ）に示すオブジェクトＷ１が指Ｆにより選択された場合、制御部１１は、オブジェクトＷ１に対応するオブジェクトＷ１１，Ｗ１２，Ｗ１３，Ｗ１４（第２のオブジェクト）を、表示領域１３１に表示させる。オブジェクトＷ１は時計機能に関連付けられているので、オブジェクトＷ１１〜Ｗ１４は、例えば、時刻合わせ機能や、他国の現在時刻を表示する機能等に関連付けられている。また、オブジェクトＷ１１〜Ｗ１４は、表示領域１３１において、ユーザの腕１００に沿って配列する。制御部１１は、オブジェクトＷ１１〜Ｗ１４のいずれかを選択する操作を受け付けると、選択されたオブジェクトに関連付けられた機能を実行する。
【００３４】
オブジェクトＷ１１〜Ｗ１４の表示中においても、制御部１１は、「（Ａ）オブジェクト表示の基本動作」及び「（Ｂ）オブジェクトの表示位置の変更動作」の項で説明した表示制御を行ってもよい。
なお、制御部１１は、オブジェクトＷ２又はＷ３を選択する操作を受け付けた場合にも、選択されたオブジェクトに関連付けられた複数機能の各機能に基づいて、表示領域１３１にオブジェクトを配列させる。
【００３５】
（Ｄ）オブジェクトに対する重み付けに関する動作
図１２は、表示装置１０が行うオブジェクトに対する重み付けに関する動作を示すフローチャートである。図１３は、オブジェクトに対する重み付けに関する動作を説明する図である。
複数のオブジェクトが表示領域１３１で配列する場合、これらの複数のオブジェクトは、ユーザにとっての利便性を考慮した配列になっていることが望ましい。そこで、制御部１１は、表示中のオブジェクトに重み値を与え、与えた重み値に応じてオブジェクトを配列させる。
【００３６】
まず、制御部１１は、表示中の各オブジェクトに対して、予め決められた規則（アルゴリズム）に従って重み値を与える（ステップＳＤ１）。次に、制御部１１は、算出した重み値に基づいて、オブジェクトの表示位置を特定する（ステップＳＤ２）。次に、制御部１１は、表示領域１３１において特定した表示位置にオブジェクトを表示する（ステップＳＤ３）。例えば、制御部１１は、重み値が最大のオブジェクトを１２時の位置に表示させ、時計回りに１２時から６時の方向に重み値順にオブジェクトを表示させ、更に、反時計回りに１２時から６時の方向に重み値の順番でオブジェクトを表示させる。図１３（ａ）の例では、オブジェクトＷ３，Ｗ１，Ｗ２の順で重み値が大きい。
なお、重み値と表示位置との関係は、この例に限られない。
【００３７】
ここで、重み値の具体例を説明する
（Ｉ）重要度
制御部１１は、重要度が高いオブジェクトほど重み値を大きくする。例えば、制御部１１は、プッシュ型通信がある機能に関連付けられたオブジェクトの重要度を、プッシュ型通信がない機能に関連付けられたオブジェクトの重要度をよりも高くする。プッシュ型通信がある機能のオブジェクトは、他のオブジェクトよりも、ユーザに観察されやすいと推測されるからである。
制御部１１は、プッシュ型通信以外の他の特定の処理（例えば、データ更新）の有無に基づいて、オブジェクトの重要度を判定してもよい。また、制御部１１は、オブジェクト又は機能毎にユーザが指定した重要度、又は、設計段階等で指定された重要度に応じて、重み値を与えもよい。オブジェクトの重要度は、どのような規則に基づいて判定されてもよい。
【００３８】
（II）最新更新日時
制御部１１は、データ更新の最新更新日時が近い機能のオブジェクトほど、重み値を大きくする。例えば、オブジェクトがメーラや株価表示機能等のデータ更新を伴う機能に関連付けられている場合、データ更新の最新更新日時が近い機能ほど、ユーザに操作又は観察されやすい推測される。このため、制御部１１は、最新更新日時が近い機能のオブジェクトほど、重み値を大きくする。
【００３９】
（III）更新頻度
制御部１１は、データ更新の頻度（即ち更新頻度）が高い機能のオブジェクトほど、重み値を大きくする。更新頻度は、例えば、単位時間当たりのデータ更新の回数である。データ更新を伴う機能にオブジェクトが関連付けられている場合、データ更新の頻度が高い機能ほど、オブジェクトがユーザに観察されやすいと推測される。このため、制御部１１は、更新頻度が高い機能のオブジェクトほど、重み値を大きくする。
なお、更新頻度は、固定されていてもよいし、ユーザにより変更されてもよい。
【００４０】
（IV）アクティブ状態／非アクティブ状態
制御部１１は、オブジェクトに関連付けられた機能がアクティブ状態である場合に、非アクティブ状態の場合に比べて、重み値を大きくする。例えば、アクティブ状態の機能は、非アクティブ状態の機能に比べて、オブジェクトがユーザに観察及び操作されやすいと推測される。
なお、制御部１１は、上記（Ｉ）〜（IV）を２つ以上組み合わせて、重み値を算出してもよいし、更に別の条件に基づいて重み値を算出してもよい。重み値は、例えば、設計段階等で予め決められた値（例えば（Ｉ）重要度）、機能の実行状態を示す値（例えば（II）最新更新日時又は（IV）アクティブ状態／非アクティブ状態）、及び、ユーザが設定した値（例えば（Ｉ）重要度又は（III）更新頻度）に基づいて、オブジェクトに付与される。
【００４１】
ステップＳＤ３の処理において、制御部１１は、重み値に応じてオブジェクトのサイズを変化させてもよい。例えば、図１３（ｂ）に示すように、制御部１１は重み値が大きいほど、オブジェクトの表示サイズを大きくする。ここでは、制御部１１は、表示領域１３１の伸張方向の長さを変化させることにより、オブジェクトの表示サイズを変化させる。
このオブジェクトに対する重み付けに関する動作は、複数ある第２の媒質のそれぞれの比重を重み値に見立てた場合の、各第２の媒質の挙動に基づいている。
【００４２】
（Ｅ）機能実行動作
図１４は、表示装置１０が行う機能実行動作を示すフローチャートである。図１５は、機能実行動作を説明する図である。以下で説明する動作前において、制御部１１は、図１５（ａ）に示すように、オブジェクトＷ１１〜Ｗ１４を表示領域１３１に表示しているものとする。
制御部１１は、加速度センサ１２２の検出結果に基づいて、表示装置１０に作用した振動（例えば、表示装置１０を振る操作）を検出する（ステップＳＥ１）。この場合、制御部１１は、更新中画像を表示領域１３１の全体で表示する（ステップＳＥ２）。更新中画像は、表示中のオブジェクトで定まる画像である。図１５（ｂ）に示す更新中画像ＩＭは、オブジェクトＷ１１〜Ｗ１４を第２の媒質、背景領域を第１の媒質と見立て、第１の媒質及び第２の媒質を混ぜ合わせたときの様子を模した画像である。ただし、更新中画像は、表示中のオブジェクトにより定まる画像であれば、他の画像であってもよい。そして、制御部１１は、図１５（ｃ）に示すように、ホーム画面を表示領域１３１に表示する（ステップＳＥ３）。
ステップＳＥ３の処理において、制御部１１は、ホーム画面を表示する機能以外の機能を実行してもよい。例えば、制御部１１は、表示中のオブジェクトに関連付けられた機能を最新状態にするためのデータ更新を行ってもよい。
【００４３】
以上説明した実施形態の表示装置１０によれば、表示領域１３１が向く方向が変化した場合であっても、ユーザにとって表示中のオブジェクトを観察しやすくすることができる。
更に、表示装置１０は、背景領域を移動させる操作に応じてオブジェクトを移動させ、また、その操作が終了すると、オブジェクトを元の表示位置に戻す。また、表示装置１０は、オブジェクトに与えた重み値に応じた配列で、表示領域１３１にオブジェクトを表示する。更に、表示装置１０は、振動を検出した場合には、表示領域１３１で更新中画像を表示してから所定の機能を実行する。即ち、表示装置１０は、第１の媒質中にある第２の媒質の挙動に基づいてオブジェクトの表示を制御する。このため、表示装置１０によれば、ユーザがオブジェクトに対して直観的な操作を行いやすくし、また、ユーザに視覚的な面白みを与えることのできるユーザインタフェースを提供することができる。
【００４４】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
図１６に示すオブジェクトＷａ，Ｗｂのように、表示装置１０は、表示領域１３１において伸張方向（即ち腕回り方向）に交差する方向（ここでは直交方向）に沿って、オブジェクトを配列させてもよい。このオブジェクトの配列も、ユーザの腕１００に沿っている。上述した実施形態の配列と組み合わせて、表示装置１０は、腕１００に沿う２方向の各方向に沿って、オブジェクトを配列させてもよい。
【００４５】
更に、表示装置１０は、ユーザの腕１００に沿わない方向に沿って、オブジェクトを配列させてもよい。例えば、図１７（ａ）に示すように、表示装置１０が、ユーザの腕１００から離れる方向に厚み（幅）を有する。更に、表示装置１０は、表示領域１３１に加えて、表示領域１３１に交差（例えば直交）する表示領域１３１ａを有する。表示領域１３１と表示領域１３１ａとは物理的に分離されている必要はなく、例えば、曲面状の表示領域が表示領域１３１と表示領域１３１ａとに分けられていてもよい。
【００４６】
この構成の下、制御部１１は、表示領域１３１ａを用いて、ユーザの腕１００に沿わない方向、即ち、腕１００から離れる方向に沿ってオブジェクトを配列させる。例えば、制御部１１は、位置Ａを含む表示領域１３１ａにおいて、腕１００から離れる方向に沿って、オブジェクトＷｃ，Ｗｄを順に配列させる。更に、腕１００から離れる方向に配列させたオブジェクトの表示位置を、指Ｆが表示領域１３１に対して行った操作に応じて変更してもよい。図１７（ｂ）に示す例では、制御部１１は、オブジェクトＷｃとオブジェクトＷｄとの表示位置を入れ替えている。
更に、表示装置１０は、ユーザの腕１００に沿う２方向に、ユーザの腕１００に沿わない方向を加えた計３方向の各方向に沿って、オブジェクトを配列させてもよい。
【００４７】
（変形例２）
上述した実施形態では、表示装置１０は、腕１００が腕周り方向に回転した場合であっても、ユーザから見た表示位置が一定となるように、オブジェクトの表示位置を変更していた。この例に限られず、表示装置１０は、オブジェクトが配置された領域が向く方向が変化させられた場合に、当該方向の変化を小さくする表示位置にオブジェクトを変更すればよい。この場合であっても、腕１００の姿勢の変化に対して、オブジェクトが表示された領域が向く方向の変化が小さくて済むので、当該オブジェクトをユーザは観察しやすい。
【００４８】
（変形例３）
オブジェクトに関連付けられる機能は、上述した実施形態で説明した機能に限られない。例えば、オブジェクトは、電子データ（電子ファイル）の分類するためのフォルダに関連付けられていてもよい。この場合、制御部１１は、表示中のフォルダに関連付けられたオブジェクトの選択操作に応じて、当該フォルダの配下にある電子データに関連付けられたオブジェクト（例えばアイコン）を表示する。
【００４９】
（変形例４）
上述した実施形態では、表示装置１０のホーム画面を例に挙げて、オブジェクトの表示動作を説明した。ホーム画面に限られず、表示装置１０は、オブジェクトの表示を伴う所定の画面を表示した際に、上述した実施形態で説明したオブジェクトの表示動作を行ってもよい。
【００５０】
（変形例５）
「（Ｂ）オブジェクトの表示位置の変更動作」において、表示装置１０は、背景領域とともに、表示中の全てのオブジェクトを移動させていた。これに代えて、表示装置１０は、ユーザに指示されたオブジェクトと関連する一部のオブジェクトのみを移動させてもよい。例えば、表示装置１０は、ユーザに指示されたオブジェクトと、カテゴリが共通する機能に関連付けられたオブジェクトを、移動させてもよい。
【００５１】
（変形例６）
本発明の表示装置は、リストバンド型の表示装置に限られず、ユーザの腕に装着して使用される他の形態の表示装置であってもよい。この表示装置の一例として、ユーザの腕に装着される腕時計型の表示装置がある。腕時計型の表示装置１０は、表示部１３と、表示部１３と物理的に接続された装着部とを備える。装着部は、時計バンドに相当するバンド状（帯状）の部材である。表示部１３は、ユーザの腕１００に装着部が巻かれることにより、腕１００に装着される。
また、表示領域１３１は、腕１００の１周分よりも短い寸法の表示領域であってもよいし、伸張方向を有する表示領域でなくてもよい。
【００５２】
また、本発明の表示装置は、ユーザの腕に装着される表示装置に限られず、ユーザによって把持（即ち手に保持）して使用される表示装置であってもよい。この種の表示装置の一例として、スマートフォンやタブレット端末等の表示装置がある。ユーザに把持して使用される表示装置であっても、ユーザから見たオブジェクトの表示位置の変化を小さくすることで、特定のオブジェクトが観察し難くなるのを抑制することができる。
また、本発明の表示装置は、ユーザの身体の部位として、腕等の手以外の部位に装着又は保持される表示装置であってもよい。
また、表示領域１３１が向く方向の変化を検出可能であれば、センサ部１２は、加速度センサ１２２以外のセンサを含んでいてもよい。また、センサ部１２は、接触センサ１２１を含まない構成であってもよい。
【００５３】
（変形例７）
上述した実施形態の構成の一部が省略されてもよい。例えば、表示装置１０において、「（Ｂ）オブジェクトの表示位置の変更動作」、「（Ｃ）オブジェクトの選択操作時の動作」、「（Ｄ）オブジェクトに対する重み付けに関する動作」及び「（Ｅ）機能実行動作」の１つ以上が省略されてもよい。
【００５４】
（変形例８）
上述した各実施形態において、表示装置１０の制御部１１が実現する各機能は、複数のプログラムの組み合わせによって実現され、又は、複数のハードウェア資源の連係によって実現されうる。制御部１１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読取り可能な記録媒体に記憶した状態で提供されてもよいし、ネットワークを介して配信されてもよい。また、本発明は、表示方法として把握することも可能である。
【符号の説明】
【００５５】
１０…表示装置、１１…制御部、１１１…表示制御部、１１２…操作受付部、１１３…実行部、１２…センサ部、１２１…接触センサ、１２２…加速度センサ、１３…表示部、１３１…表示領域、１４…通信部、１５…記憶部。
【図１】
2015176247.tif 000003
【図２】
2015176247.tif 000004
【図３】
2015176247.tif 000005
【図４】
2015176247.tif 000006
【図５】
2015176247.tif 000007
【図６】
2015176247.tif 000008
【図７】
2015176247.tif 000009
【図８】
2015176247.tif 000010
【図９】
2015176247.tif 000011
【図１０】
2015176247.tif 000012
【図１１】
2015176247.tif 000013
【図１２】
2015176247.tif 000014
【図１３】
2015176247.tif 000015
【図１４】
2015176247.tif 000016
【図１５】
2015176247.tif 000017
【図１６】
2015176247.tif 000018
【図１７】
2015176247.tif 000019